(57)【要約】【課題】メンテナンス性に優れた空調室内機を提供する。【解決手段】室内機３の室内熱交換器３１は、上に凸に屈曲する。フィルタ機構３３は、フィルタユニット５０と、フィルタユニット５０を支持する支持フレーム５２と、を有する。フィルタユニット５０は、室内熱交換器３１の風上側に配設され、塵埃を捕集する。支持フレーム５２は、前フレーム５２ａと、前フレーム５２ａと連結される後フレーム５２ｂと、を含む。前フレーム５２ａは、その後端近傍に、前連結部６０ａを有する。後フレーム５２ｂは、その前端近傍に、前連結部６０ａと連結する後連結部６０ｂを有する。室内機３は、少なくとも前連結部６０ａおよび／または後連結部６０ｂに衝撃をうけたときに、室内熱交換器３１の頂部３１０が、前連結部６０ａおよび／または後連結部６０ｂと直接的または間接的に当接可能に構成される。【選択図】図１４
2014126238.tif 000002
【特許請求の範囲】
【請求項１】
上に凸に屈曲する熱交換器（３１）と、
前記熱交換器の風上側に配設され、塵埃を捕集する捕集部（５０）と、前記捕集部を支持する支持フレーム（５２）と、を有するフィルタ部（３３）と、
を備え、
前記支持フレームは、前記支持フレームの前部分を構成する前フレーム（５２ａ）と、前記前フレームと連結され前記支持フレームの後部分を構成する後フレーム（５２ｂ）と、
を含み、
前記前フレームは、その後端近傍に第１連結部（６０ａ）を有し、
前記後フレームは、その前端近傍に前記第１連結部と連結する第２連結部（６０ｂ）を有し、
少なくとも前記第１連結部および／または前記第２連結部に衝撃をうけたときに、前記熱交換器の頂部（３１０）が、前記第１連結部および／または前記第２連結部と、直接的または間接的に当接可能に構成される、
空調室内機（３）。
【請求項２】
前記第１連結部および前記第２連結部の連結部分（６０）と、前記熱交換器の頂部と、の間に配設される連結保護部（５２７）をさらに備え、
少なくとも前記第１連結部および／または前記第２連結部に衝撃をうけたときに、前記熱交換器の頂部が、前記連結保護部と当接可能に構成される、
請求項１に記載の空調室内機。
【請求項３】
前記連結保護部は、前記支持フレームの長手方向に沿って延びる、
請求項２に記載の空調室内機。
【請求項４】
前記連結保護部は、前記前フレームまたは前記後フレームにネジで螺着される、請求項２または３に記載の空調室内機。
【請求項５】
前記連結保護部は、前記前フレームまたは前記後フレームと一体に成形される、
請求項２または３に記載の空調室内機。
【請求項６】
前記熱交換器および前記フィルタ部をその内部に収容し、前記熱交換器と熱交換させる室内の空気をその内部に取り込むための吸込口（３０２ａ、３０３ａ）が形成されるケーシング（３０）をさらに備え、
前記熱交換器は、その頂部近傍において薄肉部（３１１）を有し、
前記連結保護部は、前記薄肉部の風上側近傍に位置して、前記吸込口から取り込まれる室内の空気が前記薄肉部を通過することを妨害する、
請求項２から５のいずれか１項に記載の空調室内機。
【請求項７】
前記連結保護部と前記薄肉部とに挟まれて配設され、前記薄肉部と当接し、前記吸込口から取り込まれる室内の空気が前記薄肉部を通過することを妨害するシール部材（５３）をさらに備え、
前記連結保護部は、前記シール部材と当接して前記シール部材の浮き上がりを抑える、
請求項６に記載の空調室内機。
【発明の詳細な説明】
【技術分野】
【０００１】
本発明は、空調室内機に関する。
【背景技術】
【０００２】
従来、フィルタに付着した塵埃を除去するフィルタ清掃装置を備えた空調室内機が知られている。例えば、特許文献１（特開２０１０−１９７０３４号公報）に開示された空調室内機は、支持フレームに支持されたフィルタを動作させて回転ローラと接触させることにより、フィルタに付着した塵埃を除去するフィルタ清掃装置を備えている。
【発明の概要】
【発明が解決しようとする課題】
【０００３】
ところで、空調室内機は、通常、天井近傍に設置されることが多い。よって、上に凸に湾曲する形状の支持フレームを採用した場合、空調室内機を設置した状態では支持フレームの取り外しおよび取り付けをするための作業空間を天井との間に確保しにくく、メンテナンス性が悪化することが懸念される。そこで本発明の課題は、メンテナンス性に優れた空調室内機を提供することである。
【課題を解決するための手段】
【０００４】
本発明の第１観点に係る空調室内機は、熱交換器と、フィルタ部と、を備える。熱交換器は、上に凸に屈曲する。フィルタ部は、捕集部と、捕集部を支持する支持フレームと、を有する。捕集部は、熱交換器の風上側に配設され、塵埃を捕集する。支持フレームは、支持フレームの前部分を構成する前フレームと、前フレームと連結され支持フレームの後部分を構成する後フレームと、を含む。前フレームは、その後端近傍に第１連結部を有する。後フレームは、その前端近傍に、第１連結部と連結する第２連結部を有する。第１観点に係る空調室内機は、少なくとも第１連結部および／または第２連結部に衝撃をうけたときに、熱交換器の頂部が、第１連結部および／または第２連結部と、直接的または間接的に当接可能に構成される。
【０００５】
本発明の第１観点に係る空調室内機では、支持フレームは、第１連結部を有する前フレームと、第１連結部と連結される第１後連結部を有する後フレームと、を含む。これにより、空調室内機を設置した状態において前フレームを容易に取り外すことができ、前フレームに装着されている部材などの修理や交換等を効率的に行うことが可能となる。したがって、メンテナンス性が向上する。
【０００６】
また、本発明の第１観点に係る空調室内機では、少なくとも第１連結部および／または第２連結部に衝撃をうけたときに、熱交換器の頂部が、第１連結部および／または第２連結部と、直接的または間接的に当接可能に構成される。これにより、例えば空調室内機が落下等することにより第１連結部および／または第２連結部に衝撃を受けても、熱交換器の頂部が、第１連結部および／または第２連結部と、直接的または間接的に当接して下方から支える。したがって、前フレームと後フレームの連結部分を破壊されることが抑制され、前フレームと後フレームの連結状態が保持されやすくなる。
【０００７】
本発明の第２観点に係る空調室内機は、第１観点に係る空調室内機であって、連結保護部をさらに備える。連結保護部は、第１連結部および第２連結部の連結部分と、熱交換器の頂部と、の間に配設される。第２観点に係る空調室内機は、少なくとも第１連結部および／または第２連結部に衝撃をうけたときに、熱交換器の頂部が、連結保護部と当接可能に構成される。
【０００８】
本発明の第２観点に係る空調室内機では、連結保護部が、第１連結部および第２連結部の連結部分と、熱交換器の頂部と、の間に配設される。これにより、例えば空調室内機が落下等することにより第１連結部および／または第２連結部に衝撃を受けても、熱交換器の頂部が連結保護部と当接して、第１連結部および第２連結部の連結部分を下方から支える。このように、第１連結部および第２連結部の連結部分と、熱交換器の頂部と、の間に連結保護部を介在させることで、連結部分に伝わる衝撃が緩和される。このため、前フレームと後フレームの連結部分を破壊されることがさらに抑制される。したがって、前フレームと後フレームの連結状態がさらに保持されやすくなる。
【０００９】
本発明の第３観点に係る空調室内機は、第２観点に係る空調室内機であって、連結保護部は、支持フレームの長手方向に沿って延びる。
【００１０】
本発明の第３観点に係る空調室内機では、連結保護部は、支持フレームの長手方向に沿って延びる。これにより、例えば空調室内機が落下等することにより第１連結部および／または第２連結部に衝撃を受けた場合に、連結保護部と熱交換器の頂部との当接面積が大きくなる。このため、第１連結部および第２連結部の連結部分が、連結保護部を介して熱交換器の頂部によりさらに安定的に支えられる。その結果、前フレームと後フレームの連結部分を破壊されることがさらに抑制され、前フレームと後フレームの連結状態がさらに保持されやすくなる。
【００１１】
本発明の第４観点に係る空調室内機は、第２観点または第３観点に係る空調室内機であって、連結保護部は、前フレームまたは後フレームにネジで螺着される。
【００１２】
本発明の第４観点に係る空調室内機では、連結保護部は、前フレームまたは後フレームにネジで螺着される。これにより、例えば空調室内機が落下等することにより第１連結部および／または第２連結部に衝撃を受けた場合に、熱交換器の頂部が連結保護部とさらに安定的に当接する。このため、第１連結部および第２連結部の連結部分が、連結保護部を介して熱交換器の頂部によりさらに安定的に支えられる。その結果、前フレームと後フレームの連結部分を破壊されることがさらに抑制され、前フレームと後フレームの連結状態がさらに保持されやすくなる。
【００１３】
本発明の第５観点に係る空調室内機は、第２観点または第３観点に係る空調室内機であって、連結保護部は、前フレームまたは後フレームと一体に成形される。
【００１４】
本発明の第５観点に係る空調室内機では、連結保護部は、前フレームまたは後フレームと一体に成形される。これにより、部材数が削減され、コスト増大を抑えられる。
【００１５】
本発明の第６観点に係る空調室内機は、第２観点から第５観点のいずれかに係る空調室内機であって、ケーシングをさらに備える。ケーシングは、熱交換器およびフィルタ部をその内部に収容する。ケーシングには、熱交換器と熱交換させる室内の空気をその内部に取り込むための吸込口が形成される。熱交換器は、その頂部近傍において薄肉部を有する。連結保護部は、薄肉部の風上側近傍に位置して、吸込口から取り込まれた室内の空気が薄肉部を通過することを妨害する。
【００１６】
本発明の第６観点に係る空調室内機では、連結保護部は、薄肉部の風上側近傍に位置して、吸込口から取り込まれた室内の空気が薄肉部を通過することを妨害する。すなわち、取り込んだ空気が熱交換器の薄肉部を通過すると、当該空気は熱交換器内を流通する冷媒と熱交換しにくいため、空気調和装置の性能低下につながる。よって、取り込んだ室内の空気が熱交換器の薄肉部を通過しないように薄肉部をシールすることが望ましい。そこで、本発明の第６観点に係る空調室内機では、連結保護部によって薄肉部をシールして、吸込口から取り込まれた室内の空気が薄肉部を通過することを妨害する。これにより、室内の空気が薄肉部を通過することを妨害するためのシール部材を別に設ける必要がなくなり、部材数が削減されてコスト増大を抑えられる。
【００１７】
本発明の第７観点に係る空調室内機は、第６観点に係る空調室内機であって、シール部材をさらに備える。シール部材は、連結保護部と薄肉部とに挟まれて配設され、薄肉部と当接し、吸込口から取り込まれた室内の空気が薄肉部を通過することを妨害する。連結保護部は、シール部材と当接してシール部材の浮き上がりを抑える。
【００１８】
本発明の第７観点に係る空調室内機では、連結保護部は、シール部材と当接してシール部材の浮き上がりを抑える。すなわち、取り込んだ空気が熱交換器の薄肉部を通過することを確実に防止するために、シール部材が設けられる場合には、シール部材は浮き上がらないように配設されることが望ましい。そこで、本発明の第７観点に係る空調室内機では、シール部材の浮き上がりを抑制するために、連結保護部がシール部材と当接している。これにより、シール部材の浮き上がりを抑える浮き上がり抑制部材を別に設ける必要がなくなり、部材数が削減されてコスト増大を抑えられる。
【発明の効果】
【００１９】
本発明の第１観点から第７観点に係る空調室内機では、前フレームに装着されている部材などの修理や交換等を効率的に行うことが可能となり、メンテナンス性が向上する。また、前フレームと後フレームの連結状態が保持されやすくなる。
【００２０】
本発明の第２観点から第４観点に係る空調室内機では、前フレームと後フレームの連結状態がさらに保持されやすくなる。
【００２１】
本発明の第５観点から第７観点に係る空調室内機では、部材数が削減され、コスト増大を抑えられる。
【図面の簡単な説明】
【００２２】
【図１】本発明の一実施形態に係る空調室内機を使用した空気調和装置の正面図。
【図２】本発明の一実施形態に係る空調室内機の正面斜視図。
【図３】図２のIII-III線断面図。
【図４】フィルタ機構および室内熱交換器の正面斜視図。
【図５】フィルタユニットの正面斜視図。
【図６】支持フレームの正面斜視図。
【図７】前フレームの正面斜視図。
【図８】後フレームの正面斜視図。
【図９Ａ】左前連結部を背面側から見た拡大斜視図。
【図９Ｂ】左後連結部を正面側から見た拡大斜視図。
【図１０Ａ】中央前連結部を背面側から見た拡大斜視図。
【図１０Ｂ】中央後連結部を正面側から見た拡大斜視図。
【図１１Ａ】右前連結部を背面側から見た拡大斜視図。
【図１１Ｂ】右後連結部を正面側から見た拡大斜視図。
【図１２】後フレームの右側面図。
【図１３】右後連結部を底面側から見た拡大斜視図。
【図１４】図３のＡ部分の拡大図。
【図１５】本発明の一実施形態に係る空調室内機の連結部の拡大図。
【図１６】本発明の一実施形態に係る空調室内機の連結部の拡大図。
【発明を実施するための形態】
【００２３】
以下、図面を参照しながら、本発明の実施形態について説明する。なお、以下の実施形態は、本発明の具体例であって、本発明の技術的範囲を限定するものではなく、発明の要旨を逸脱しない範囲で適宜変更が可能である。また、以下の説明において、上、下、左、右、正面（前）、背面（後）といった方向を示す語句を用いているが、これらの方向は、特にことわりのない限り、図１、図３、図６および図９Ａから図１２に示す方向を意味する。
【００２４】
（１）空気調和装置１
図１は、空気調和装置１の正面図である。空気調和装置１は、室内空間の熱負荷を処理して空気調和を実現する装置である。空気調和装置１は、主として、室外機２と、室内機３と、冷媒配管４とから構成され、冷房運転や暖房運転等を行うことができる。空気調和装置１においては、室外機２と室内機３とが冷媒配管４を介して接続され、冷媒回路が構成されている。
【００２５】
（１−１）室外機２
室外機２は、室外に設置されており、その外郭はケーシング２０によって構成されている。ケーシング２０の内部には、主として室外熱交換器、室外ファンおよび圧縮機等が収容されている（図示省略）。
【００２６】
室外熱交換器は、クロスフィン式のフィン・アンド・チューブ型熱交換器であり、冷房運転時には冷媒の凝縮器として機能し、暖房運転時には冷媒の蒸発器として機能する。    
【００２７】
室外ファンは、室外機２内に室外空気を吸入して、室外熱交換器において冷媒と熱交換させた後に、室外機２外に排出するための送風機である。圧縮機は、インバータにより回転数が制御される圧縮機用モータ（図示省略）によって駆動される容積式圧縮機であり、冷媒を圧縮している。
【００２８】
（１−２）室内機３
次に図１から図３を参照して、室内機３について説明する。図２は、室内機３の正面斜視図である。図３は、図２のIII-III線断面図である。
【００２９】
室内機３は、壁掛けタイプで、室内機保持具３００を介して室内の天井近傍の壁に設置されている。室内機３の外郭はケーシング３０によって構成されている。
【００３０】
（１−２−１）ケーシング３０
ケーシング３０は、左右に長い横長の形状をしており、主として、樹脂製の背面部３０１、底部３０２、天部３０３、左側部３０４、右側部３０５および前面パネル３０６により、それぞれ構成されている。
【００３１】
背面部３０１は、ケーシング３０の背面部分を構成しており、室内機保持具３００に固定されている。
【００３２】
底部３０２は、ケーシング３０の底面部分を構成しており、背面部３０１に固定されている。底部３０２には、下吸込口３０２ａが左右方向に延びるように形成されている。下吸込口３０２ａは、左右に長い長方形状の開閉板３０２ｂで塞がれている。開閉板３０２ｂは、開閉板用モータ（図示省略）の駆動によって回動し、下吸込口３０２ａの開閉を行っている。
【００３３】
天部３０３は、ケーシング３０の天面の後端近傍部分を構成しており、背面部３０１の上端において固定されている。
【００３４】
左側部３０４および右側部３０５は側面視において略扇形状の形状を有しており、左側部３０４はケーシング３０の左側面を、右側部３０５は右側面をそれぞれ構成している。
【００３５】
前面パネル３０６は正面側に膨らむように湾曲している。前面パネル３０６の下端近傍に吹出口３０６ａが形成されており、吹出口３０６ａはフラップ３０６ｂで塞がれている。フラップ３０６ｂは、フラップモータ（図示省略）の駆動によって回動し、吹出口３０６ａの開閉を行っている。
【００３６】
以上のように構成されるケーシング３０の天面部分の大部分（天部３０３の前端から前面パネル３０６の上端に至るまでの部分）は、開口となっており、室内空気を取り込む上吸込口３０３ａとして機能している。この上吸込口３０３ａからは、後述するフィルタ機構３３（図４参照）が露出している。
【００３７】
また、ケーシング３０の内部には、空気流路が形成されており、下吸込口３０２ａおよび上吸込口３０３ａから流入する空気は、フィルタ機構３３および室内熱交換器３１（図３参照）を通過し、吹出口３０６ａから排出されるようになっている。
【００３８】
ケーシング３０の内部には、主として、室内熱交換器３１、室内ファン３２、フィルタ機構３３および制御部（図示せず）等が収容されている。
【００３９】
（１−２−２）室内熱交換器３１
室内熱交換器３１は、主として複数のフィンと複数の伝熱管から構成されるクロスフィン型熱交換器である。室内熱交換器３１は、室内機３に取り込まれる室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。
【００４０】
室内熱交換器３１は、室内ファン３２の上方に位置するように、底部３０２に堅固に取り付けられている。室内熱交換器３１は、後述する支持フレーム５２の左右方向に沿って延び、かつ、前方および上方に突出するように屈曲した形状を呈している。室内熱交換器３１は、その上方の屈曲部分に頂部３１０（図３、図１４参照）を有している。
【００４１】
頂部３１０は、室内熱交換器３１の左端部分から右端部分まで左右方向に沿って延びている。頂部３１０は、後述するカバー部５２７（図３、図１４等参照）の下方近傍に位置している。室内熱交換器３１においては、頂部３１０近傍部分の厚みが薄くなっている。以下、説明の便宜上、当該厚みの薄い部分を薄肉部３１１（図１４参照）と呼ぶ。
【００４２】
（１−２−３）室内ファン３２
室内ファン３２はクロスフローファンである。室内ファン３２は、室内熱交換器３１の下方に設けられており、その略上半分が、室内熱交換器３１に囲われている。室内ファン３２は、ファンモータ（図示省略）と接続されており、ファンモータが駆動することにより回転する。室内ファン３２が回転すると、室内の空気が、室内機３の上吸込口３０３ａおよび下吸込口３０２ａからケーシング３０内部へと吸い込まれ、室内熱交換器３１を通過して吹出口３０６ａから吹き出されるようになっている。
【００４３】
（１−２−４）フィルタ機構３３
以下、図３から図６を参照してフィルタ機構３３について説明する。図４は、フィルタ機構３３および室内熱交換器３１の正面斜視図である。図５は、フィルタユニット５０の正面斜視図である。図６は、支持フレーム５２の正面斜視図である。
【００４４】
フィルタ機構３３は、室内熱交換器３１の風上側（空気流上流側）において室内熱交換器３１を覆うように配設されており、ケーシング３０内に取り込んだ室内空気に含まれる塵埃を捕集して、室内熱交換器３１に塵埃が付着することを防いでいる。フィルタ機構３３は、主として、フィルタユニット５０と、清掃ユニット５１と、支持フレーム５２と、から構成されている。
【００４５】
（１−２−４−１）フィルタユニット５０
フィルタユニット５０は、主として、エアフィルタ５００と、フィルタガイド５０１と、から構成されている。エアフィルタ５００は、樹脂製の糸等で平織りまたは綾織された網であって、環形状に成形されている。エアフィルタ５００は、フィルタガイド５０１に周回可能に掛け渡されており、無端ベルト状に保たれている。フィルタガイド５０１は、側面視略台形状に湾曲している。フィルタユニット５０は、後述する支持フレーム５２（図６参照）の左右に１つずつに脱着可能に装着されている。
【００４６】
（１−２−４−２）清掃ユニット５１
清掃ユニット５１は、エアフィルタ５００の前側折返し部分近傍において支持フレーム５２に固定されている（図３参照）。清掃ユニット５１は、エアフィルタ５００に付着した塵埃を除去するもので、主として、フィルタ駆動部５１１、ブラシ５１２、ブラシ駆動部５１３、ブラシ清掃部５１４、塵埃受け部５１５等を有している。
【００４７】
フィルタ駆動部５１１（図４参照）は、ローラ用モータ等で構成されており、ローラ用モータが駆動するとエアフィルタ５００が周回するようになっている。
【００４８】
ブラシ５１２は、室内機３の長手方向に沿って細長い形状を有しており、長手方向に直行する断面が略円形の形状を有している（図３参照）。ブラシ５１２は回転自在にとりつけられており、ブラシ５１２の一部はエアフィルタ５００に接触している。
【００４９】
ブラシ駆動部５１３は、ステッピングモータ等で構成されている（図４参照）。ブラシ駆動部５１３は、ブラシ５１２の回転軸部分と接続されており、ステッピングモータが駆動することでブラシ５１２が回転するようになっている。
【００５０】
ブラシ清掃部５１４は、ブラシ５１２の下方に配置され、ブラシ５１２に向かって突出しており、その上端部分がブラシ５１２と接触している（図３参照）。ブラシ清掃部５１４がこのように設けられていることで、ブラシ５１２の回転に伴ってブラシ５１２に付着した塵埃が掻き落とされるようになっている。
【００５１】
塵埃受け部５１５は、ブラシ５１２及びブラシ清掃部５１４の下方に配置されている（図３参照）。塵埃受け部５１５内には、ブラシ清掃部５１４によってブラシ５１２から掻き落とされた塵埃が貯められる。
【００５２】
（１−２−４−３）支持フレーム５２
以下、図６から図８を参照して支持フレーム５２について説明する。図７は、前フレーム５２ａの正面斜視図である。図８は、後フレーム５２ｂの正面斜視図である。
【００５３】
支持フレーム５２は、フィルタユニット５０および清掃ユニット５１を支持している。支持フレーム５２は室内熱交換器３１の空気流上流側に配置されることから熱交換抵抗となりうる。したがって、支持フレーム５２は、室内熱交換器３１を覆う面積が少なくなるように複数の細長い部材を組み合せることにより構成されている。具体的に支持フレーム５２は、主として、ケーシング３０の天部３０３に沿って前後に延びる左端部５２１、中央部５２２および右端部５２３と、ケーシング３０の幅方向に沿って左右に延びる前端部５２４、上後端部５２５ａおよび下後端部５２５ｂ（以下、上後端部５２５ａおよび下後端部５２５ｂを併せて後端部５２５と記載する）と、で構成されている。
【００５４】
左端部５２１は支持フレーム５２の左端部分を構成し、右端部５２３は支持フレーム５２の右端部分を構成している。中央部５２２は、支持フレーム５２の中央部分に配設され、支持フレーム５２を左右に仕切っている。左端部５２１、中央部５２２および右端部５２３は、側面視において上方に膨らむように湾曲しており、その前端は前端部５２４と連結され、その後端は後端部５２５と連結されている。
【００５５】
左端部５２１と中央部５２２との間、および、中央部５２２と右端部５２３との間には、フィルタ設置スペース５２６が形成され、それぞれにおいてフィルタユニット５０が設置されている。
【００５６】
また、支持フレーム５２の左端部５２１、中央部５２２および右端部５２３の下方には、樹脂製の板状部材であるカバー部５２７が配設されている。カバー部５２７は、支持フレーム５２の長手方向である左右方向に沿って延びている。カバー部５２７については、後の（１−２−４−３−４）カバー部５２７、および、（２）室内機３の機能において詳述する。
【００５７】
ここで、支持フレーム５２は、前後に分割できるようになっている。具体的には、左端部５２１が前側左端部５２１ａと後側左端部５２１ｂとに分割される。また、中央部５２２が前側中央部５２２ａと後側中央部５２２ｂとに分割される。また、右端部５２３が前側右端部５２３ａと後側右端部５２３ｂとに分割される。すなわち、支持フレーム５２は、前側左端部５２１ａ、前側中央部５２２ａ、前側右端部５２３ａおよび前端部５２４を含む前フレーム５２ａと、後側左端部５２１ｂ、後側中央部５２２ｂ、後側右端部５２３ｂ、後端部５２５およびカバー部５２７を含む後フレーム５２ｂと、に分割できる。
【００５８】
このような前フレーム５２ａと後フレーム５２ｂとは、左連結部６１、中央連結部６２および右連結部６３の３箇所で連結されて一体となっている。より詳細には、左連結部６１において、前フレーム５２ａに設けられた左前連結部６１ａ（図９Ａ参照）と、後フレーム５２ｂに設けられた左後連結部６１ｂ（図９Ｂ参照）と、が連結されている。また、中央連結部６２において、前フレーム５２ａに設けられた中央前連結部６２ａ（図１０Ａ参照）と、後フレーム５２ｂに設けられた中央後連結部６２ｂ（図１０Ｂ参照）と、が連結されている。また、右連結部６３において、前フレーム５２ａに設けられた右前連結部６３ａ（図１１Ａ参照）と、後フレーム５２ｂに設けられた右後連結部６３ｂ（図１１Ｂ参照）と、が連結されている。
【００５９】
なお、以下の説明においては、説明の便宜上、左連結部６１、中央連結部６２および右連結部６３を併せて連結部６０と記載する。また、左前連結部６１ａ、中央前連結部６２ａ、右前連結部６３ａを併せて前連結部６０ａと記載し、左後連結部６１ｂ、中央後連結部６２ｂ、右後連結部６３ｂを併せて後連結部６０ｂと記載する。よって、前連結部６０ａは前フレーム５２ａの後端部分に設けられ、後連結部６０ｂは後フレーム５２ｂの前端部分に設けられていることになる。
【００６０】
（１−２−４−３−１）左前連結部６１ａ、左後連結部６１ｂ
以下、図９Ａおよび図９Ｂを参照して左前連結部６１ａおよび左後連結部６１ｂについて説明する。図９Ａは、左前連結部６１ａを背面側から視た拡大斜視図である。図９Ｂは、左後連結部６１ｂを正面側から見た拡大斜視図である。
【００６１】
左前連結部６１ａには、左端近傍に左前接合面７０ａが設けられ、左前接合面７０ａにネジ孔７２ａが形成されている。左前接合面７０ａの右方向近傍には略四角形の第１リブ挿入孔８０ａが形成されている。さらに、第１リブ挿入孔８０ａの右方向近傍には横長の第１係合リブ９１ａが配設されている。
【００６２】
左後連結部６１ｂには、左端近傍にネジ孔７２ｂが形成された第１ネジボス７４ａが配設され、第１ネジボス７４ａの前端には左前接合面７０ａと当接する左後接合面７１ａが設けられている。また、左後接合面７１ａの右方向近傍には第１リブ挿入孔８０ａに嵌合する第１挿入リブ８１ａが形成されている。また、第１挿入リブ８１ａの右方向近傍には、第１係合部９４ａが形成されている。第１係合部９４ａは、第１係合リブ９１ａが嵌りこむ程度の大きさを有する開口である。
【００６３】
左前連結部６１ａと左後連結部６１ｂとを連結する場合には、まず第１リブ挿入孔８０ａに第１挿入リブ８１ａが挿入されるとともに第１係合リブ９１ａが第１係合部９４ａに差し込まれる。これにより左前接合面７０ａと左後接合面７１ａとが当接して、ネジ孔７２ａとネジ孔７２ｂとがネジで貫通できるように重なる。そして、ネジ孔７２ａおよび７２ｂを介してネジで螺着されて、左前連結部６１ａと左後連結部６１ｂとが連結した状態で固定される。
【００６４】
（１−２−４−３−２）中央前連結部６２ａ、中央後連結部６２ｂ
以下、図１０Ａおよび図１０Ｂを参照して中央前連結部６２ａおよび中央後連結部６２ｂについて説明する。図１０Ａは、中央前連結部６２ａを背面側から視た拡大斜視図である。図１０Ｂは、中央後連結部６２ｂを正面側から見た拡大斜視図である。
【００６５】
中央前連結部６２ａの上部には第１庇部７５が設けられており、第１庇部７５の底面には中央前接合面７０ｂが設けられている。また、中央前接合面７０ｂの後端近傍には引掛爪７６が設けられている。さらに、第１庇部７５の下方には略四角形の第２リブ挿入孔８０ｂが形成されている。
【００６６】
中央後連結部６２ｂの上部には第２庇部７７が設けられており、第２庇部７７の上面には中央後接合面７１ｂが設けられている。また、第２庇部７７の後端近傍には引掛爪７６と係合する嵌合孔７８が形成されている。さらに、第２庇部７７の下方には第２リブ挿入孔８０ｂに嵌合する第２挿入リブ８１ｂが設けられている。
【００６７】
中央前連結部６２ａと中央後連結部６２ｂとを連結する場合には、まず第２挿入リブ８１ｂが第２リブ挿入孔８０ｂに挿入される。そして第２挿入リブ８１ｂが深く挿入されるにしたがって、引掛爪７６が中央後接合面７１ｂに乗り上げた状態で嵌合孔７８へと接近していく。そして挿入が一定状態に達すると引掛爪７６が嵌合孔７８に嵌りこみ、中央前連結部６２ａと中央後連結部６２ｂとが連結した状態で固定されるようになっている。
【００６８】
（１−２−４−３−３）右前連結部６３ａ、右後連結部６３ｂ
以下、図１１Ａおよび図１１Ｂを参照して右前連結部６３ａおよび右後連結部６３ｂについて説明する。図１１Ａは、右前連結部６３ａを背面側から視た拡大斜視図である。図１１Ｂは、右後連結部６３ｂを正面側から見た拡大斜視図である。
【００６９】
右前連結部６３ａの右端近傍には右前接合面７０ｃが設けられ、右前接合面７０ｃにはネジ孔７２ｃが形成されている。また、右前接合面７０ｃの左方向近傍には略四角形の第３リブ挿入孔８０ｃが形成されている。さらに、第３リブ挿入孔８０ｃの左方向近傍には、第２係合部９４ｂが配設されている。第２係合部９４ｂは、後述する第２係合リブ９１ｂが嵌りこむ程度の大きさを有する開口であり、その内部に天井部分と底面部分を有している。
【００７０】
右後連結部６３ｂには、右端近傍にネジ孔７２ｄが形成された第２ネジボス７４ｂが配設され、第２ネジボス７４ｂの先端には右前接合面７０ｃと当接する右後接合面７１ｃが設けられている。また、右後接合面７１ｃの左方向近傍には第３リブ挿入孔８０ｃに嵌合する第３挿入リブ８１ｃ（以下、第１挿入リブ８１ａ、第２挿入リブ８１ｂおよび第３挿入リブ８１ｃを併せて挿入リブ８１と記載する）が形成されている。また、第３挿入リブ８１ｃの左方向近傍には、第２係合部９４ｂに差し込まれる第２係合リブ９１ｂが設けられている。
【００７１】
右前連結部６３ａと右後連結部６３ｂとを連結する場合には、まず第３リブ挿入孔８０ｃに第３挿入リブ８１ｃが挿入されるとともに第２係合リブ９１ｂが第２係合部９４ｂに差し込まれる。これにより、右前接合面７０ｃと右後接合面７１ｃとが当接して、ネジ孔７２ｃとネジ孔７２ｄとがネジで貫通できるように重なる。そして、ネジ孔７２ｃおよび７２ｄを介してネジで螺着されて、右前連結部６３ａと右後連結部６３ｂとが連結した状態で固定される。
【００７２】
（１−２−４−３−４）カバー部５２７
以下、図６から図１４を参照してカバー部５２７について説明する。図１２は、後フレーム５２ｂの右側面図である。図１３は、右後連結部６３ｂを底面側から見た拡大斜視図である。図１４は、図３のＡ部分の拡大図である。
【００７３】
カバー部５２７は、後フレーム５２ｂの前端において、連結部６０の挿入リブ８１の下方近傍に位置するように設けられている。また、カバー部５２７は、平面視において横長の長方形状を呈しており、支持フレーム５２の長手方向である左右方向に沿って左端部５２１から右端部５２３まで延びている。
【００７４】
このようなカバー部５２７は、前フレーム５２ａと後フレーム５２ｂとが連結された状態において、連結部６０の下方近傍に位置するようになっている。また、カバー部５２７の下方近傍には、室内熱交換器３１の頂部３１０が位置している。すなわち、カバー部５２７は、連結部６０と、室内熱交換器３１の頂部３１０と、の間に位置している。また、カバー部５２７は、室内熱交換器３１の薄肉部３１１の長手方向の長さ以上の幅と、薄肉部３１１の前後方向の長さ以上の奥行きとを有し、薄肉部３１１の上方近傍に位置している。
【００７５】
カバー部５２７の後端側には、カバー部５２７を支持する支持部５２８が複数設けられており、支持部５２８は下後端部５２５ｂまで湾曲しながら延びている。なお、本実施形態においてカバー部５２７および支持部５２８は、後フレーム５２ｂと一体成形されている。
【００７６】
（２）室内機３の機能
以下、室内機３における連結部保護機能およびシール機能を有する。
【００７７】
（２−１）連結部保護機能
上述のように、支持フレーム５２は、前フレーム５２ａと後フレーム５２ｂとが連結部６０において連結されることにより構成されている。このように連結部分を有する支持フレーム５２を採用する場合には、当該連結部分に衝撃を受けても連結状態が解除されにくいようにすることが望まれる。特に上記実施形態の中央連結部６２のように、連結部６０においてネジで螺着されていないような場合には、例えば、室内機３が落下等することにより前連結部６０ａおよび／または後連結部６０ｂに衝撃を受けると、中央前連結部６２ａの引掛爪７６が、中央後連結部６２ｂの嵌合穴から外れたり破損したりして、連結部６０の連結状態が保持できないことが懸念される。
【００７８】
上述のような要請から本実施形態においては、連結部６０の強度をあげるべく、連結部６０が、室内熱交換器３１の頂部３１０により、下方から間接的に当接されて支持されうるように構成されている。具体的には、頂部３１０が連結部６０の下方近傍に位置していることにより、例えば室内機３が落下等することによって前連結部６０ａおよび／または後連結部６０ｂに衝撃を受けて連結部６０が下方へ押し込まれそうになっても、頂部３１０が、カバー部５２７を介し前連結部６０ａおよび／または後連結部６０ｂと間接的に当接して、連結部６０を下方から支持するようになっている。
【００７９】
また、本実施形態においては、連結部６０と頂部３１０との間にカバー部５２７が設けられて、連結部６０に伝わる衝撃が和らげられている。すなわち、前連結部６０ａおよび／または後連結部６０ｂと、頂部３１０と、が直接的に当接することによっても連結部６０の連結状態は保持されやすいが、前連結部６０ａおよび／または後連結部６０ｂと、頂部３１０と、が間接的に当接するほうが、連結部６０に伝わる衝撃が軽減され、連結部６０の連結状態はさらに保持されやすい。そこで、本実施形態においては、前連結部６０ａおよび／または後連結部６０ｂと、頂部３１０と、の間にカバー部５２７を配設して緩衝部としての機能をもたせている。
【００８０】
また、カバー部５２７は、支持フレーム５２の長手方向である左右方向に沿って延びているため、室内熱交換器３１の頂部３１０との当接面積が大きくなるように構成されている。その結果、連結部６０が頂部６０によって安定的に支持されやすいようになっている。
【００８１】
以上のように、本実施形態では、連結部６０は、カバー部５２７を介して、室内熱交換器３１の頂部３１０に支持されるようになっており、連結部６０の連結状態が解除されたり、連結部６０が破損したりすることが抑制されている。すなわち、本実施形態では、室内熱交換器３１およびカバー部５２７によって、連結部６０の連結状態が保護されている。
【００８２】
（２−２）シール機能
上述のように室内熱交換器３１は、その頂部３１０近傍に薄肉部３１１を有している。吸込口から取り込まれる室内の空気が薄肉部３１１を通過すると、当該空気は熱交換されないまま室内熱交換器３１を通過しやすく、その結果、室内機３の性能が低下することが懸念される。よって、本実施形態のように薄肉部３１１を有する熱交換器を空調機等において使用する場合には、空気が薄肉部３１１を通過しないように薄肉部３１１をシールすることが望まれる。
【００８３】
上述の要請から、本実施形態では、カバー部５２７に薄肉部３１１をシールするシール機能をもたせている。具体的には、カバー部５２７は、薄肉部３１１の長手方向（左右方向）の長さ以上の幅と、薄肉部３１１の前後方向の長さ以上の奥行きとを有し、薄肉部３１１の風上側（空気流上流側）に位置している。すなわち、カバー部５２７は、薄肉部３１１の上方を覆って、上吸込口３０３ａおよび下吸込口３０２ａから取り込まれた室内空気が薄肉部３１１を通過することを妨害している。これにより、本実施形態では、ケーシング３０に取り込まれる空気が薄肉部３１１を通過することを抑制している。
【００８４】
（３）特徴
（３−１）
上記実施形態では、支持フレーム５２は前連結部６０ａを有する前フレーム５２ａと、前連結部６０ａと連結される後連結部６０ｂを有する後フレーム５２ｂと、を有している。これにより、室内機３を設置した状態において前フレーム５２ａを容易に取り外すことができるようになっており、前フレーム５２ａに装着されている清掃ユニット５１などの修理や交換等を効率的に行うことが可能となっている。したがって、メンテナンス性が向上している。
【００８５】
また、上記実施形態では、少なくとも室内機３の前連結部６０ａおよび／または後連結部６０ｂに衝撃をうけたときに、室内熱交換器３１の頂部３１０が、前連結部６０ａおよび／または後連結部６０ｂと、間接的に当接可能に構成されている。これにより、例えば室内機３が落下等した場合に前連結部６０ａおよび／または後連結部６０ｂに力を受けても、室内熱交換器３１の頂部３１０が、前連結部６０ａおよび／または後連結部６０ｂと間接的に当接して、連結部６０を下方から支えるようになっている。このため、前フレーム６０ａと後フレーム６０ｂの連結部６０を破壊されることが抑制されている。したがって前フレーム６０ａと後フレーム６０ｂの連結状態が保持されやすくなっている。
【００８６】
（３−２）
上記実施形態では、カバー部５２７が、前連結部６０ａおよび後連結部６０ｂの連結部分である連結部６０と、室内熱交換器３１の頂部３１０と、の間に配設されている。これにより、例えば室内機３が落下等した場合に室内機３の前連結部６０ａおよび／または後連結部６０ｂに力を受けても、室内熱交換器３１の頂部３１０がカバー部５２７と当接して、連結部６０を下方から支えるようになっている。すなわち、前連結部６０ａおよび／または後連結部６０ｂに衝撃を受けても、頂部３１０が、カバー部５２７を介して前連結部６０ａおよび／または後連結部６０ｂと間接的に当接し、連結部６０を下方から支えるようになっている。また、連結部６０と頂部３１０との間にカバー部５２７が介在していることで、連結部６０に伝わる衝撃が緩和されるようになっている。このため、連結部６０を破壊されることが抑制されており、前フレーム５２ａと後フレーム５２ｂの連結状態が保持されやすくなっている。
【００８７】
（３−３）
上記実施形態では、カバー部５２７は、支持フレーム５２の長手方向である左右方向に沿って延びている。これにより、例えば室内機３が落下等して前連結部６０ａおよび／または後連結部６０ｂに力を受けた場合におけるカバー部５２７と室内熱交換器３１の頂部３１０との当接面積が大きくなっている。このため、連結部６０を破壊されることが抑制されており、前フレーム５２ａと後フレーム５２ｂの連結状態が保持されやすくなっている。
【００８８】
（３−４）
上記実施形態では、カバー部５２７は、後フレーム５２ｂと一体成形されている。これにより、部材数が削減されており、コスト増大が抑えられている。
【００８９】
（３−５）
上記実施形態では、カバー部５２７は、室内熱交換器３１の薄肉部３１１の風上側近傍に位置して、上吸込口３０３ａおよび下吸込口３０２ａから取り込まれた室内の空気が薄肉部３１１を通過することを妨害している。これにより、室内の空気が薄肉部３１１を通過することを妨害するためのシール部材を別に設ける必要がなくなり、部材数が削減されてコスト増大が抑制されている。
【００９０】
（４）変形例
（４−１）変形例１Ａ
上記実施形態では、フィルタ機構３３は、主として、フィルタユニット５０と、清掃ユニット５１と、支持フレーム５２と、から構成されていたが、これに限定されない。例えば、清掃ユニット５１については適宜省略してもよい。
【００９１】
（４−２）変形例１Ｂ
上記実施形態では、前フレーム５２ａと後フレーム５２ｂは、左連結部６１、中央連結部６２および右連結部６３において連結されていたが、連結部の数についてはこれに限定されない。例えば、連結部の数は、これより多くても少なくてもよい。また、その連結の態様についても上記態様に限定されず、適宜選択が可能である。
【００９２】
（４−３）変形例１Ｃ
上記実施形態では、少なくとも室内機３の前連結部６０ａおよび／または後連結部６０ｂに衝撃をうけたときに、室内熱交換器３１の頂部３１０が、前連結部６０ａおよび／または後連結部６０ｂと、カバー部５２７を介して間接的に当接可能なように構成されていたが、これに限定されない。例えば、頂部３１０の一部分については、前連結部６０ａよび／または後連結部６０ｂと、カバー部５２７を介して間接的に当接可能に構成され、かつ、頂部３１０のその他の部分については、前連結部６０ａおよび／または後連結部６０ｂと、直接的に当接可能なように構成されてもよい。
【００９３】
（４−４）変形例１Ｄ
上記実施形態では、カバー部５２７は、後フレーム５２ｂと一体に成形されていたが、これに限定されない。例えば、カバー部５２７は、前フレーム５２ａと一体に成形されてもよい。
【００９４】
また、カバー部５２７を前フレーム５２ａおよび後フレーム５２ｂとは別部材として設け、前フレーム５２ａまたは後フレーム５２ｂにネジで螺着して固定してもよい。このようにカバー部５２７を前フレーム５２ａまたは後フレーム５２ｂにネジで螺着して固定することにより、例えば室内機３が落下等することによって前連結部６０ａおよび／または後連結部６０ｂに衝撃を受けて連結部６０が下方へ押し込まれそうになっても、室内熱交換器３１の頂部３１０が、カバー部５２７とさらに安定的に当接するようになる。このため、連結部６０が、室内熱交換器３１の頂部３１０によってさらに安定的に支えられるようになる。その結果、前フレーム５２ａと後フレーム５２ｂの連結部分である連結部６０を破壊されることがさらに抑制され、前フレーム５２ａと後フレーム５２ｂの連結状態がさらに保持されやすくなる。
【００９５】
（４−５）変形例１Ｅ
上記実施形態では、カバー部５２７にシール機能をもたせて、上吸込口３０３ａおよび下吸込口３０２ａから取り込まれる室内の空気が薄肉部３１１を通過して、熱交換されないまま室内熱交換器３１を通過することが抑制されているが、さらに確実に室内の空気が薄肉部３１１を通過することを妨害するために、図１５に示すように、別にシール部材５３を配設してもよい。
【００９６】
図１５に示す実施形態では、シール部材５３は、例えば発泡部材やゴム部材など折り曲げ可能な材質で構成されており、薄肉部３１１の上面において粘着テープなどで貼り付けられている。ここで、シール部材５３は、粘着テープなどで貼り付けられただけでは、粘着力の低下等によって浮き上がることが懸念されるため、カバー部５２７の底面に複数の浮き上がり抑制リブ５２７ａを設けて、これを防いでいる。具体的には、浮き上がり抑制リブ５２７ａは、カバー部５２７の底面において上下方向に延びて、シール部材５３を上方から押さえて、シール部材５３の浮き上がりを抑制している。
【００９７】
すなわち、図１５に示す実施形態では、取り込んだ空気が室内熱交換器３１の薄肉部３１１を通過することを確実に防止すべく、カバー部５２７が、シール部材５３と当接してシール部材５３の浮き上がりを抑制している。これにより、シール部材５３の浮き上がりを抑える浮き上がり抑制部材を別に設ける必要がなくなり、部材数が削減されてコスト増大を抑えられている。
【００９８】
なお、図１５に示す実施形態においては、カバー部５２７の底面に浮き上がり抑制リブ５２７ａが配設されたが、浮き上がり抑制リブ５２７ａについては省略して、カバー部５２７の底面がシール部材５３と当接してその浮き上がりを抑制できるように構成してもよい。
【００９９】
（４−６）変形例１Ｆ
上記実施形態では、例えば室内機３が落下等して前連結部６０ａおよび／または後連結部６０ｂに衝撃を受けた場合に、連結部６０に伝わる衝撃が緩和されるように、カバー部５２７を、連結部６０と室内熱交換器３１の頂部３１０との間に配設していたが、これに限定されず、例えば、図１６に示すように、カバー部５２７を省略してもよい。
【０１００】
具体的に図１６に示す実施形態においては、頂部３１０が連結部６０の下方近傍に位置していることにより、例えば室内機３が落下等することによって前連結部６０ａおよび／または後連結部６０ｂに衝撃を受けて連結部６０が下方へ押し込まれそうになっても、頂部３１０が前連結部６０ａおよび／または後連結部６０ｂと直接的に当接して、連結部６０を支持するようになっている。これにより、連結部６０の連結状態が解除されたり、連結部６０が破損したりすることが抑制されている。
【０１０１】
図１６に示す実施形態では、少なくとも前連結部６０ａおよび／または後連結部６０ｂに衝撃をうけたときに、室内熱交換器３１の頂部３１０が、前連結部６０ａおよび／または後連結部６０ｂと直接的に当接可能に構成されている。これにより、例えば室内機３が落下等することにより前連結部６０ａおよび／または後連結部６０ｂに衝撃を受けても、室内熱交換器３１の頂部３１０が、前連結部６０ａおよび／または後連結部６０ｂと直接的に当接して下方から支えるようになっている。このため、連結部６０を破壊されることが抑制されている。したがって、前フレーム５２ａと後フレーム５２ｂの連結状態が保持されやすくなっている。
【産業上の利用可能性】
【０１０２】
本発明は、空調室内機に利用可能である。
【符号の説明】
【０１０３】
３            室内機
３０          ケーシング
３０２ａ      下吸込口
３０３ａ      上吸込口
３１          室内熱交換器
３１０        頂部
３１１        薄肉部
３３          フィルタ機構
５０          フィルタユニット
５１          清掃ユニット
５２          支持フレーム
５２ａ        前フレーム
５２ｂ        後フレーム
５２１ａ      前側左端部
５２１ｂ      後側左端部
５２２ａ      前側中央部
５２２ｂ      後側中央部
５２３ａ      前側右端部
５２３ｂ      後側右端部
５２７        カバー部
５２７ａ      浮き上がり抑制リブ
５２８        支持部
５３          シール部材
６０          連結部
６０ａ        前連結部
６０ｂ        後連結部
６１          左連結部
６１ａ        左前連結部
６１ｂ        左後連結部
６２          中央連結部
６２ａ        中央前連結部
６２ｂ        中央後連結部
６３          右連結部
６３ａ        右前連結部
６３ｂ        右後連結部
７６          引掛爪
７８          嵌合孔
８１          挿入リブ
【先行技術文献】
【特許文献】
【０１０４】
【特許文献１】特開２０１０−１９７０３４号公報
【図１】
2014126238.tif 000003
【図２】
2014126238.tif 000004
【図３】
2014126238.tif 000005
【図４】
2014126238.tif 000006
【図５】
2014126238.tif 000007
【図６】
2014126238.tif 000008
【図７】
2014126238.tif 000009
【図８】
2014126238.tif 000010
【図９Ａ】
2014126238.tif 000011
【図９Ｂ】
2014126238.tif 000012
【図１０Ａ】
2014126238.tif 000013
【図１０Ｂ】
2014126238.tif 000014
【図１１Ａ】
2014126238.tif 000015
【図１１Ｂ】
2014126238.tif 000016
【図１２】
2014126238.tif 000017
【図１３】
2014126238.tif 000018
【図１４】
2014126238.tif 000019
【図１５】
2014126238.tif 000020
【図１６】
2014126238.tif 000021